(57)【要約】【課題】圧送ラインやドージングバルブが異物により詰まったり固着したとき、或いはドージングバルブで尿素水が吹きっぱなしになったときでも、これら検出できる尿素ＳＣＲ用尿素水消費量診断装置を提供する。【解決手段】尿素水タンク１５内の尿素水Ｕのレベルを検出する尿素水センサ２２と、排ガス中のＮＯｘに応じてドージングバルブ１２から噴射する尿素水量を指示する噴射量指示手段３０と、噴射量指示手段３０で指示した指示噴射量を積算する指示噴射量積算手段３１と、尿素水センサ２２から入力される検出値から積算消費量Ｄを算出する消費量算出手段３２と、指示噴射量積算手段３１からの積算指示噴射量Ｐと消費量算出手段３２からの積算消費量Ｄを比較してドージングバルブ１２による尿素水噴射が正常か異常かを判定する異常診断手段３３とを備えたものである。【選択図】図１
2014129764.tif 000002
【特許請求の範囲】
【請求項１】
尿素水タンク内の尿素水を、サプライポンプにて吸い込み、これを圧送ラインを介してＳＣＲ装置の上流側に設けたドージングバルブから噴射するための尿素ＳＣＲ用尿素水消費量診断装置において、
尿素水タンク内の尿素水のレベルを検出する尿素水センサと、
排ガス中のＮＯｘに応じて前記ドージングバルブから噴射する尿素水量を指示する噴射量指示手段と、
前記噴射量指示手段で指示した指示噴射量を積算する指示噴射量積算手段と、
前記尿素水センサから入力される検出値から積算消費量を算出する消費量算出手段と、
前記指示噴射量積算手段からの積算指示噴射量と前記消費量算出手段からの積算消費量を比較してドージングバルブによる尿素水噴射が正常か異常かを判定する異常診断手段とを備えたことを特徴とする尿素ＳＣＲ用尿素水消費量診断装置。
【請求項２】
異常診断手段は、指示噴射量積算手段からの積算指示噴射量と消費量算出手段からの積算消費量が入力され、積算指示噴射量が判定量を超えたとき、その積算指示噴射量とそのときの積算消費量とを比較して、両者の差が一定量を超えたときに尿素水消費量異常と判定し、超えなかったときに正常と判定する請求項１記載の尿素ＳＣＲ用尿素水消費量診断装置。
【請求項３】
消費量算出手段は、イグニッションキーがＯＮされたときに、尿素水センサで検出したレベルを記憶すると共にＯＦＦされたときのレベルを記憶し、その後イグニッションキーがＯＮ・ＯＦＦされたときにレベルを記憶して積算消費量を順次算出し、
指示噴射量積算手段は、イグニッションキーがＯＮされたときに、指示噴射量の積算を開始すると共にＯＦＦされたときに積算指示噴射量を記憶し、その後イグニッションキーがＯＮ・ＯＦＦされたときに記憶した積算指示噴射量を基に順次指示噴射量を積算し、
異常診断手段は、指示噴射量積算手段からの積算指示噴射量が判定値を超えたとき、その判定値と消費量算出手段からの積算消費量を比較して正常・異常の診断を行い、診断後に指示噴射量積算手段の積算値をリセットする請求項２記載の尿素ＳＣＲ用尿素水消費量診断装置。
【請求項４】
消費量算出手段は、尿素水タンクに尿素水が補充されたとき、尿素水センサのレベル変化から補充量を算出し、異常診断手段で異常診断を行うときに算出した積算消費量に補充量を足した値を積算消費量として異常診断手段に出力する請求項２又は３記載の尿素ＳＣＲ用尿素水消費量診断装置。
【請求項５】
消費量算出手段による補充量の算出は、尿素水タンクのレベル変化が尿素水センサの検出精度以上変化したときに補充有りとすると共に補充後の尿素水センサの検出レベルの最大値と補充前に記憶したレベルから補充量を算出する請求項４記載の尿素ＳＣＲ用尿素水消費量診断装置。
【請求項６】
判定量は、尿素水の積算指示噴射量が、数Ｌ〜十数Ｌの間で設定される請求項２〜５いずれかに記載の尿素ＳＣＲ用尿素水消費量診断装置。
【発明の詳細な説明】
【技術分野】
【０００１】
本発明は、エンジンの排ガス中のＮＯｘを尿素水を用いて選択還元する尿素ＳＣＲシステムに係り、特に、ドージングバルブで噴射した尿素水の尿素水量を的確に診断できる尿素ＳＣＲ用尿素水消費量診断装置に関するものである。
【背景技術】
【０００２】
ディーゼルエンジンの排気ガス中のＮＯｘを浄化するための排気ガス浄化システムとして、選択還元触媒を用いた選択触媒還元（Selective Catalytic Reduction）システム（ＳＣＲシステム）が開発されている。
【０００３】
このＳＣＲシステムは、尿素水タンクに貯留された尿素水をＳＣＲ装置の排気ガス上流に供給し、排気ガスの熱で尿素水を加水分解してアンモニアを生成し、このアンモニアによってＳＣＲ装置内の触媒でＮＯｘを還元して浄化するものである。尿素水は、ＳＣＲ装置の上流側に設けられたドージングバルブから噴射されることで、ＳＣＲの排気ガス上流に供給される。
【０００４】
ドージングバルブへの尿素水の供給は、サプライモジュールポンプ（ＳＭポンプ）や尿素水圧力センサなどを備えたサプライモジュールによってなされる。サプライモジュールは、吸込ラインを介して尿素水タンクと接続されており、尿素水タンクから吸込ラインを通じて吸い上げた尿素水を、サプライモジュールとドージングバルブとを接続する圧送ラインを通じてドージングバルブに供給する。ドージングバルブは、ＤＣＵ（ドージングコントロールユニット）により制御され、ＳＣＲ装置の下流に設けたＮＯｘセンサの検出値に応じてドージングバルブが開閉制御されて尿素噴射量が調整される。
【０００５】
尿素水タンク内の尿素水のレベルは、尿素水タンク内に設けた尿素水センサで検出され、尿素水センサで検出した尿素水のレベルから尿素水の残存量を検出し、尿素水の補充の目安としている。
【先行技術文献】
【特許文献】
【０００６】
【特許文献１】特開２０１１−２４７１３７号公報
【特許文献２】特開２０１２−２０６１号公報
【発明の概要】
【発明が解決しようとする課題】
【０００７】
ところで、尿素水をＮＯｘ触媒内に噴射するドージングバルブ内、およびそこに至る圧送ライン内が異物により詰まりが生じた場合、それを検出する手段がない。またドージングバルブが異物等の固着により、開状態で固着した場合にも同様に検出する手段がない問題がある。
【０００８】
この尿素水の消費量については、尿素水タンク内の尿素水センサのレベル変化を検出すれば、その消費量はおおよそ推測できる。しかし、尿素水センサの検出精度は、尿素レベルを段階的に検出するもので、走行中の車両の傾斜や尿素水タンク内での尿素水の揺れがあるときには、正確なレベルを検出することは困難である。よって、現状の尿素水センサは、尿素水タンク内の尿素水がどの程度あるか或いは補充時期を検出する機能しかない。
【０００９】
また、仮に尿素水センサの検出精度が良いものを用いたとしても、消費される尿素水量は僅かであり、この尿素水センサによるレベル変化で、詰まり等を確実に検出することも困難である。
【００１０】
さらに、ドージングバルブが開状態で固着し、尿素水が吹きっぱなしになったときには、尿素水センサのレベル変化でこれを検出することは不可能である。
【００１１】
そこで、本発明の目的は、上記課題を解決し、圧送ラインやドージングバルブが異物により詰まったり固着したとき、或いはドージングバルブで尿素水が吹きっぱなしになったときでも、これらを検出できる尿素ＳＣＲ用尿素水消費量診断装置を提供することにある。
【課題を解決するための手段】
【００１２】
上記目的を達成するために本発明は、尿素水タンク内の尿素水を、サプライポンプにて吸い込み、これを圧送ラインを介してＳＣＲ装置の上流側に設けたドージングバルブから噴射するための尿素ＳＣＲ用尿素水消費量診断装置において、尿素水タンク内の尿素水のレベルを検出する尿素水センサと、排ガス中のＮＯｘに応じて前記ドージングバルブから噴射する尿素水量を指示する噴射量指示手段と、前記噴射量指示手段で指示した指示噴射量を積算する指示噴射量積算手段と、前記尿素水センサから入力される検出値から積算消費量を算出する消費量算出手段と、前記指示噴射量積算手段からの積算指示噴射量と前記消費量算出手段からの積算消費量を比較してドージングバルブによる尿素水噴射が正常か異常かを判定する異常診断手段とを備えたことを特徴とする尿素ＳＣＲ用尿素水消費量診断装置である。
【００１３】
異常診断手段は、指示噴射量積算手段からの積算指示噴射量と消費量算出手段からの積算消費量が入力され、積算指示噴射量が判定量を超えたとき、その積算指示噴射量とそのときの積算消費量とを比較して、両者の差が一定量を超えたときに尿素水消費量異常と判定し、超えなかったときに正常と判定するのが好ましい。
【００１４】
消費量算出手段は、イグニッションキーがＯＮされたときに、尿素水センサで検出したレベルを記憶すると共にＯＦＦされたときのレベルを記憶し、その後イグニッションキーがＯＮ・ＯＦＦされたときにレベルを記憶して積算消費量を順次算出し、指示噴射量積算手段は、イグニッションキーがＯＮされたときに、指示噴射量の積算を開始すると共にＯＦＦされたときに積算指示噴射量を記憶し、その後イグニッションキーがＯＮ・ＯＦＦされたときに記憶した積算指示噴射量を基に順次指示噴射量を積算し、異常診断手段は、指示噴射量積算手段からの積算指示噴射量が判定値を超えたとき、その判定値と消費量算出手段からの積算消費量を比較して正常・異常の診断を行い、診断後に指示噴射量積算手段の積算値をリセットするのが好ましい。
【００１５】
消費量算出手段は、尿素水タンクに尿素水が補充されたとき、尿素水センサのレベル変化から補充量を算出し、異常診断手段で異常診断を行うときに算出した積算消費量に補充量を足した値を積算消費量として異常診断手段に出力するのが好ましい。
【００１６】
消費量算出手段による補充量の算出は、尿素水タンクのレベル変化が尿素水センサの検出精度以上変化したときに補充有りとすると共に補充後の尿素水センサの検出レベルの最大値と補充前に記憶したレベルから補充量を算出するのが好ましい。
【００１７】
判定量は、尿素水の積算指示噴射量が、数Ｌ〜十数Ｌの間で設定されるのが好ましい。
【発明の効果】
【００１８】
本発明は、尿素水の指示噴射量と尿素水のレベル変化に基づく差を比較することで、ドージングバルブ又は圧送配管内の詰まりや、ドージングバルブ開固着状態による吹きっぱなし等の不具合の検出が可能となるという優れた効果を発揮する。
【図面の簡単な説明】
【００１９】
【図１】本発明におけるＳＣＲシステムの概略図である。
【図２】本発明の尿素ＳＣＲ用尿素水消費量診断装置の消費量診断のフローチャートを示す図である。
【図３】本発明の尿素ＳＣＲ用尿素水消費量診断装置において、尿素水タンクに尿素水の補充無しのケースでの尿素水センサの検出位置と尿素水の積算消費量と積算指示噴射量を時系列で説明する図である。
【図４】本発明の尿素ＳＣＲ用尿素水消費量診断装置において、尿素水タンクに尿素水の補充有りのケースでの尿素水センサの検出位置と尿素水の積算消費量と積算指示噴射量を時系列で説明する図である。
【発明を実施するための形態】
【００２０】
以下、本発明の好適な一実施の形態を添付図面に基づいて詳述する。
【００２１】
図１は、ＳＣＲシステムの概略を示したもので、ディーゼルエンジン（図示せず）の排気管１０には、ＳＣＲ装置１１が接続され、そのＳＣＲ装置１１の上流側に尿素水を噴射するドージングバルブ１２が設けられ、ＳＣＲ装置１１の下流側には、ＮＯｘセンサ１３が設けられる。
【００２２】
ＮＯｘセンサ１３の検出値はＤＣＵ（ドージングコントロールユニット）１４に入力され、ＤＣＵ１４によりドージングバルブ１２が開閉制御される。
【００２３】
ドージングバルブ１２から噴射される尿素水Ｕは、尿素水タンク１５に溜められ、サクションライン１６からサプライモジュール１７のサプライポンプ１８に吸引され、サプライポンプ１８からフィルタ１９を通して異物が除去され、圧送ライン２０にてドージングバルブ１２に圧送される。また余剰の尿素水Ｕは、フィルタ１９の吐出側の圧送ライン２０から戻しライン２１にて尿素水タンク１５内に戻される。
【００２４】
尿素水タンク１５内には、尿素水センサ２２が設けられ、尿素水センサ２２が尿素水タンク１５内の尿素水のレベルを計測し、ＤＣＵ１４へ送信する。
【００２５】
ＤＣＵ１４は、ＳＣＲ装置１１へ尿素水を噴射する量、タイミングを算出し、サプライポンプ１８を駆動させ尿素水を規定圧まで高め、ドージングバルブ１２の開閉を制御し、適切な量を適切なタイミングで噴射する。
【００２６】
ＮＯｘセンサ１３は、ドージングバルブ１２から尿素水が適切に噴射されていることにより、ＳＣＲ装置１１の下流の排ガス中のＮＯｘ値が定常となっていることをモニタするために、ＤＣＵ１４へ計測値を送信する。
【００２７】
ＤＣＵ１４には、主に燃料噴射制御を行うＥＣＭ（エンジンコントロールモジュール）２３と接続され、ＥＣＭ２３からＤＣＵ１４へ、車速信号など、各種入力情報、ＥＣＭ２３の制御情報が送信される。
【００２８】
また、ＤＣＵ１４には、バッテリー２４が接続されると共にイグニッションキー２５のＯＮ、ＯＦＦ信号が入力される。
【００２９】
このＳＣＲシステムにおいて、ＤＣＵ１４は、ＥＣＭ２３の情報を基にＮＯｘセンサ１３の検出値が定常となるようドージングバルブ１２から噴射する尿素水の噴射指示量を決定し、その決定値に基づいてドージングバルブ１２を開閉制御するが、サプライポンプ１８から圧送ライン２０とドージングバルブ１２に至る経路で異物等による詰まりが生じたときには、ドージングバルブ１２から適正に尿素水が噴射されているかどうかを判定することができず、またドージングバルブ１２が開固着状態で閉じなかったときには、尿素水がドージングバルブ１２から吹きっぱなしになってしまい、この状態も検出することができない。
【００３０】
そこで、本発明においては、ＤＣＵ１４に、ＥＣＭ２３の情報とＮＯｘセンサ１３の検出値に基づいてドージングバルブ１２から噴射する尿素水量を指示する噴射量指示手段３０と、噴射量指示手段３０で指示した指示噴射量を積算する指示噴射量積算手段３１と、尿素水センサ２２から入力される検出値から積算消費量Ｄを算出する消費量算出手段３２と、指示噴射量積算手段３１からの積算指示噴射量Ｐと消費量算出手段３２からの積算消費量Ｄを比較してドージングバルブ１２による尿素水噴射が正常か異常かを判定する異常診断手段３３とを備えて構成する。
【００３１】
先ず、診断を開始するときには、指示噴射量積算手段３１の積算指示噴射量Ｐをゼロにリセットし、同時に、消費量算出手段３２は、尿素水センサ２２で検出されたレベルをレベル（Ｓ０）として記憶する。その後、車両が走行し、ドージングバルブ１２から尿素水が噴射されたとき、指示噴射量積算手段３１は、噴射量指示手段３０による指示噴射量を順次積算し、積算指示噴射量Ｐを記憶する。
【００３２】
異常診断手段３３での尿素水噴射が正常か異常かを検出するには、ある程度尿素水を消費（例えば消費量が数Ｌから十数Ｌ）したときでなければ、検出精度が高くならないため、車両走行が何回か行われたとき、すなわちイグニッションキー２５がＯＮ・ＯＦＦを繰り返し、指示噴射量積算手段３１での積算指示噴射量Ｐが判定量Ｌ（例えば１５Ｌ）を超えたときに、消費量算出手段３２での積算消費量Ｄと積算指示噴射量Ｐを比較し、｜Ｄ−Ｐ｜＞Ｋ１かどうかを判断する。
【００３３】
この判断において、尿素水が適正に噴射されていれば、積算消費量Ｄと積算指示噴射量Ｐとは同じであり、尿素水センサ２２のレベル測定の誤差範囲で決まる値Ｋ１以下であれば、正常と診断し、Ｋ１以上であれば異常と判断する。この際、両者の差の絶対値で比較することで、異物等で噴射がないときにはＤ≪Ｐで、Ｄ−Ｐはマイナスとなり、ドージングバルブ１２が吹きっぱなしとなればＤ≫Ｐで、Ｄ−Ｐはプラスとなり、そのプラス・マイナスから固着による詰まりと、ドージングバルブ１２の吹きっぱなしが判断できる。
【００３４】
また、尿素水タンク１５には、尿素水の補充があるため、キースイッチのＯＮ・ＯＦＦのタイミングで尿素水センサ２２によるレベルセンサのレベルを検出してその変化から消費量算出手段３２が補充量を判断する。すなわち消費量算出手段３２は、制御開始から診断時までその補充量を積算し、実際のレベル変化にその積算補充量を足して尿素水の積算消費量Ｄを求める。
【００３５】
これを図２のフローチャートにより説明する。
【００３６】
ステップＳ１で診断が開始され、キースイッチがＯＮされたとき（ステップＳ２）、尿素水センサで初期のレベルセンサ位置（Ｓ０）を読み込み、記憶する（ステップＳ３）。次にステップＳ４で、車速＝０ｋｍかどうかを判断し、車両が停止状態のとき（Ｙｅｓ）は、繰り返しレベルセンサ位置（Ｓ０’）を読み込み、その停止中に尿素水の補充があればそのレベルＳ０’を最大値として記憶更新する（ステップＳ５）。このステップＳ４で車両が走行したとき（Ｎｏ）、ステップＳ６の判断で、最初に記憶したレベルＳ０と停止中に記憶したレベルＳ０’の差（Ｓ０’−Ｓ０）が、尿素水センサの検出精度以上又は誤差範囲以上の値（Ｋ１）に対して大きいかどうか（Ｓ０’−Ｓ０＞Ｋ１）を判断する。このステップＳ４の判断で、誤差範囲以上にレベルが上昇したならば（Ｙｅｓ）、Ｓ０’−Ｓ０＝Ｒp0とし、その補充量を積算補充量ＲΣに加算（ステップＳ７）して、指示噴射量積算開始のステップＳ８に移行し、また、レベルＳ０’が最初のレベルＳ０に対して誤差範囲であれば（Ｎｏ）、ステップＳ８に移行する。この指示噴射量積算開始のステップＳ８では、ステップＳ９のキースイッチＯＦＦまで指示噴射量を積算すると共に尿素水はレベルＳ０として記憶する。ステップ９でキースイッチがＯＦＦとされたときに、制御開始から一回目の走行後のレベルセンサ位置Ｓ１を読み込み、そのときの尿素水の積算消費量Ｄ（＝Ｓ１−Ｓ０）を記憶する（ステップＳ１０）。
【００３７】
次に、ステップＳ１１で、キースイッチがＯＮとされたとき、ステップＳ１２の判断で、その前の走行による積算指示噴射量Ｐが判定量Ｌに達したかどうか（Ｐ≧Ｌ）を判定する。この判定量Ｌは、数Ｌ〜十数Ｌの範囲で、例えば１５Ｌに設定する。
【００３８】
このステップＳ１２の判断で、尿素水の積算指示噴射量Ｐが判定量Ｌに達していないとき（Ｎｏ）、ステップＳ１３に移行して、レベルセンサ位置（Ｓ１+n）を読み込んで記憶する。次にステップＳ１４の判断で、その記憶したレベル（Ｓ１+1）とステップＳ１１でキースイッチがＯＮとされる前のレベルＳ１とを比較し、Ｓ１+n−Ｓ１＞Ｋ１かどうかを判断して尿素水の補充の有無を判断し、補充がなければ（Ｎｏ）、ステップＳ１７に移行し、補充があれば（Ｙｅｓ）、ステップＳ１５で、Ｓ１+n−Ｓ１＝Ｒ１を計算し、Ｒ１を補充量として記憶した後、ステップＳ１６で補充量Ｒ１を積算補充量ＲΣに加算し、ステップＳ１７に移行し、そのステップＳ１７で、指示噴射量積算を継続する。その後ステップＳ１８でキースイッチがＯＦＦされたならば、ステップＳ１９でレベルセンサ位置（Ｓ２+n）を読み込み、そのレベル（Ｓ２+n）を基に積算消費量Ｄ（＝Ｓ２+n−Ｓ１）を計算して記憶すると共にステップＳ１１の上流側に戻す。次に、ステップＳ１１でキースイッチがＯＮとされたとき、ステップＳ１２で、尿素水の積算指示噴射量Ｐが判定量Ｌに達したかどうかを判断する。積算指示噴射量Ｐが判定量Ｌに達していないときには、上述したステップＳ１３〜Ｓ１９、Ｓ１１を繰り返し、積算指示噴射量Ｐが判定量Ｌに達したとき（Ｙｅｓ）、ステップＳ２０で積算補充量ＲΣ＝０かを判断し、補充がないとき（Ｙｅｓ）は、ステップＳ２２で、｜Ｄ−Ｐ｜＞Ｋ１を判断し、補充があるとき（Ｎｏ）は、ステップＳ２１で、補充時Ｄの訂正（Ｄ＝Ｓ２+1−Ｓ１＋ＲΣ）を行ってステップＳ２２の判断に戻す。
【００３９】
このステップＳ２２の判断で、ドージングバルブからの尿素水の噴射が正常であれば、積算消費量Ｄと積算指示噴射量Ｐとは略同じで０で、検出誤差Ｋ１以内であるため（Ｎｏ）、ステップＳ２３で消費量正常と判定し、制御を終了（ステップＳ２５）する。ステップＳ２２の判断で、ドージングバルブ等が詰まって噴射が行われていないときには、積算消費量Ｄは、積算指示噴射量Ｐに対して十分少なく、またドージングバルブが開固着状態で尿素水が吹きっぱなしのときには、積算消費量Ｄは、積算指示噴射量Ｐに対して十分に大きくなるため、両者の差の絶対値（｜Ｄ−Ｐ｜）とＫ１とを比較し、その絶対値がＫ１より大きければ、ステップＳ２４で消費量異常と判定して制御を終了（ステップＳ２５）する。
【００４０】
次に、レベルセンサ検出位置、積算消費量、積算指示噴射量の変化を時系列で示した図３、図４にて説明する。
【００４１】
この図３、４では尿素水のレベル検出位置は満側から空側までのレベルを１〜２０で、判定量Ｌは１５Ｌとし、説明の便宜上、１レベル変化を１Ｌとして説明する。
【００４２】
図３は尿素水の補充がないときのレベルセンサ検出位置Ｓ、レベルセンサに基づく尿素水の積算消費量Ｄ、ドージングバルブで噴射した積算指示噴射量Ｐを時系列で示したものである。
【００４３】
先ず時間ＴnでキースイッチがＯＦＦで診断が終了し、時間Ｔ0で、キースイッチがＯＮとなり診断の制御が開始されるとすると、積算指示噴射量Ｐをゼロにリセットすると共にレベルセンサの検出位置で診断開始の初期のレベル３をレベルＳ0として記憶し、またそのレベル３を積算消費量Ｄ0として記憶する。
【００４４】
時間Ｔ0から車両が走行している間、指示噴射量を積算して積算指示噴射量Ｐを順次記憶する。時間Ｔ1で停止され、キースイッチがＯＦＦとされたときに、レベルセンサの検出位置のレベル６を、レベルＳ1として記憶すると共にそのときの積算消費量Ｄ1を算出して記憶し、またそのときまでに積算した積算指示噴射量の値ａ（＝Ｐ1、３Ｌ）を記憶する。次に時間Ｔ2でキースイッチがＯＮされたとき、レベルセンサの検出位置のレベル６をレベルＳ2としてまたレベルＳ2の位置を積算消費量Ｄ2として記憶する。この時間Ｔ2からキースイッチがＯＮ・ＯＦＦされて繰り返し走行され、時間Ｔn-2でキースイッチがＯＦＦとされたとき、レベルセンサの検出位置のレベル１７をレベルＳn-2として記憶すると共にレベルＳn-2の位置を積算消費量Ｄn-2として記憶し、積算指示噴射量の値ｂ（＝Ｐn-2、１１Ｌ）を記憶する。
【００４５】
次に、時間Ｔn-1でキースイッチがＯＮされたとき、レベルセンサの検出位置のレベル１７をレベルＳn-1としてまたレベルＳn-1の位置を積算消費量Ｄn-1として記憶して走行する。この時間Ｔn-1から時間Ｔnの間（図では説明の便宜上キースイッチがＯＦＦされたとき）に積算指示噴射量Ｐが判定量Ｌ（１５Ｌ）を超えたとき、すなわち時間Ｔn-1から時間Ｔnの間の積算指示噴射量の値ｃ（３Ｌ）と、それまで記憶した値ａ、ｂを積算した積算指示噴射量Ｐ（Ｐｎ＝ａ＋ｂ＋ｃ、１７Ｌ）と積算消費量Ｄ（Ｓn−Ｓ0、１７Ｌ）を求め、その積算消費量Ｄ（１７Ｌ）と積算指示噴射量Ｐとを比較することで、尿素水がドージングバルブから適正に噴射されているかどうかを検出できる。この図３では、正常に噴射されている状態を示し、積算指示噴射量Ｐをゼロにリセットして、次の時間Ｔ0から再度診断を行う。
【００４６】
図４は、尿素水の補充があるときのレベルセンサ検出位置Ｓ、レベルセンサに基づく尿素水の積算消費量Ｄ、ドージングバルブで噴射した積算指示噴射量Ｐを時系列で示したものである。
【００４７】
時間ＴnでキースイッチがＯＦＦで診断が終了し、時間Ｔ0で、キースイッチがＯＮとなり診断の制御が開始されるとすると、積算指示噴射量Ｐをゼロにリセットすると共にレベルセンサの検出位置で診断開始の初期のレベル１３をレベルＳ0として記憶し、またそのレベル１３を積算消費量Ｄ0として記憶する。
【００４８】
時間Ｔ0から車両が走行している間、積算指示噴射量Ｐを順次積算し、時間Ｔ1で停止され、キースイッチがＯＦＦとされたときにレベルセンサの検出位置のレベル１６をレベルＳ1として記憶すると共に積算消費量Ｄ1を記憶し、またそのときの積算指示噴射量Ｐの値ａ（＝Ｐ1、３Ｌ）を記憶する。
【００４９】
次に時間Ｔ1から時間Ｔ2の間に尿素水が補充され、時間Ｔ2でキースイッチがＯＮされたとき、レベルセンサの検出位置のレベル８をレベルＳ2として記憶すると共に積算消費量Ｄ2を記憶する。この際に先に記憶したレベルＳ1との差（Ｓ2−Ｓ1）から補充ありとしてその補充量Ｒ1（８Ｌ）を記憶する。
【００５０】
この時間Ｔ2からキースイッチがＯＮ・ＯＦＦが繰り返して走行され、時間Ｔn-2でキースイッチがＯＦＦとされたとき、レベルセンサの検出位置のレベル１９をレベルＳn-2として記憶すると共にレベルＳn-2の位置を積算消費量Ｄn-2として記憶し、積算指示噴射量Ｐの値ｂ（＝Ｐn-2、１１Ｌ）を記憶する。
【００５１】
次に、時間Ｔn-1でキースイッチがＯＮされたとき、レベルセンサの検出位置のレベル７をレベルＳn-1としてまたレベルＳn-1の位置を積算消費量Ｄn-1として記憶する。この時間Ｔn-1に至る間に尿素水がｎ回補充されたときに、レベルＳn-2とレベルＳn-1との差（Ｓn-2−Ｓn-1）から補充ありとしてその補充量Ｒn（１４Ｌ）を記憶する。
【００５２】
その後、この時間Ｔn-1から時間Ｔnの間の走行で積算指示噴射量Ｐが判定量Ｌを超えたとき、積算指示噴射量Ｐ（Ｐｎ＝ａ＋ｂ＋ｃ、１７Ｌ）と積算消費量Ｄとを比較する。この際、積算消費量Ｄは、初期の時間Ｔ0が積算消費量Ｄ0（レベルＳ0）で、時間Ｔnのとき積算消費量Ｄn（レベルＳn）であるが、その間に尿素水の積算補充量ＲΣ（＝Ｒ1＋Ｒn）であるため、積算消費量Ｄを、Ｄ＝Ｓn−Ｓ0＋ＲΣを基に積算消費量Ｄ（Ｄ＝８−１３＋（８＋１４）＝１７Ｌ）を訂正し、その積算消費量Ｄと積算指示噴射量Ｐとを比較することで、尿素水がドージングバルブから適正に噴射されているかどうかを検出できる。
【符号の説明】
【００５３】
１０  排気管
１１  ＳＣＲ装置
１２  ドージングバルブ
１３  ＮＯｘセンサ
１５  尿素水タンク
２２  尿素水センサ
２０  噴射量指示手段
３１  指示噴射量積算手段
３２  消費量算出手段
３３  異常診断手段
【図１】
2014129764.tif 000003
【図２】
2014129764.tif 000004
【図３】
2014129764.tif 000005
【図４】
2014129764.tif 000006